【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
ユーザ選択された動画像データからフレームデータを取り出す動画像処理装置において、複数のフレームデータ取り出し方法をユーザ選択可能に画面に表示する方法表示手段と、
前記表示された複数のフレームデータ取り出し方法の１つがユーザ選択されたときに、その選択された方法で取り出されたフレームデータを他の画面に一覧表示する一覧表示手段と、
前記一覧表示されたフレームデータ毎に画像処理方法を設定するフレーム画像処理方法設定手段と、
前記一覧表示されたフレームデータ毎に静止画像として保存するか否かを設定するフレーム保存設定手段と、
前記一覧表示されたフレームデータのうち、前記フレーム保存設定手段により保存する設定がされたものに対して、前記設定された画像処理方法で画像処理を行うフレーム画像処理手段と、
前記フレーム画像処理手段により画像処理されたフレームデータを保存する保存手段とを備えることを特徴とする動画像処理装置。
【請求項２】
前記複数のフレームデータ取り出し方法は、全てのフレームを取り出す処理方法、間隔を指定してフレームを取り出す処理方法、枚数を指定してフレームを取り出す処理方法、及びユーザ指定されたフレームを取り出す処理方法の少なくとも１つを含むことを特徴とする請求項１記載の動画像処理装置。
【請求項３】
前記間隔を指定してフレームを取り出す処理方法は、時間間隔指定とフレーム間隔指定の２種類の間隔指定方法を備えることを特徴とする請求項２記載の動画像処理装置。
【請求項４】
前記画像処理方法は、回転情報、色変換情報、保存画像サイズ、及びトリミング情報の少なくとも１つを含むことを特徴とする請求項１乃至３のいずれか１項に記載の動画像処理装置。
【請求項５】
前記画面と、前記他の画面とを切り替えて表示する画面切り替え手段を備えることを特徴とする請求項１乃至４のいずれか１項に記載の動画像処理装置。
【請求項６】
前記フレーム画像処理方法設定手段及び前記フレーム保存設定手段により設定された情報を保持する設定情報保持手段を備えることを特徴とする請求項１乃至５のいずれか１項に記載の動画像処理装置。
【請求項７】
前記他の画面は、前記選択された方法で取り出された各フレームデータをサムネイルで一覧表示するサムネイル表示手段を備えることを特徴とする請求項１乃至６のいずれか１項に記載の動画像処理装置。
【請求項８】
前記一覧表示されたフレームデータ毎に印刷するか否かを設定するフレーム印刷設定手段と、
前記一覧表示されたフレームデータのうち、前記フレーム印刷設定手段により印刷する設定がされたものに対して、前記設定された画像処理方法で画像処理を行う他のフレーム画像処理手段と、
前記他のフレーム画像処理手段により画像処理されたフレームデータを印刷する印刷手段とを備えることを特徴とする請求項１乃至７のいずれか１項に記載の動画像処理装置。
【請求項９】
前記一覧表示されたフレームデータのうちユーザ選択されたものを前記他の画面から削除するフレーム削除手段を備えることを特徴とする請求項１乃至８のいずれか１項に記載の動画像処理装置。
【請求項１０】
ユーザ選択された動画像データからフレームデータを取り出す動画像処理方法において、複数のフレームデータ取り出し方法をユーザ選択可能に画面に表示する方法表示ステップと、
前記表示された複数のフレームデータ取り出し方法の１つがユーザ選択されたときに、その選択された方法で取り出されたフレームデータを他の画面に一覧表示する一覧表示ステップと、
前記一覧表示されたフレームデータ毎に画像処理方法を設定するフレーム画像処理方法設定ステップと、
前記一覧表示されたフレームデータ毎に静止画像として保存するか否かを設定するフレーム保存設定ステップと、
前記一覧表示されたフレームデータのうち、前記フレーム保存設定ステップにより保存する設定がされたものに対して、前記設定された画像処理方法で画像処理を行うフレーム画像処理ステップと、
前記フレーム画像処理ステップにより画像処理されたフレームデータを保存する保存ステップとを有することを特徴とする動画像処理方法。
【請求項１１】
前記複数のフレームデータ取り出し方法は、全てのフレームを取り出す処理方法、間隔を指定してフレームを取り出す処理方法、枚数を指定してフレームを取り出す処理方法、及びユーザ指定されたフレームを取り出す処理方法の少なくとも１つを含むことを特徴とする請求項１０記載の動画像処理方法。
【請求項１２】
前記間隔を指定してフレームを取り出す処理方法は、時間間隔指定とフレーム間隔指定の２種類の間隔指定方法を有することを特徴とする請求項１１記載の動画像処理方法。
【請求項１３】
前記画像処理方法は、回転情報、色変換情報、保存画像サイズ、及びトリミング情報の少なくとも１つを含むことを特徴とする請求項１０乃至１３のいずれか１項に記載の動画像処理方法。
【請求項１４】
前記画面と、前記他の画面とを切り替えて表示する画面切り替えステップを有することを特徴とする請求項１０乃至１３のいずれか１項に記載の動画像処理方法。
【請求項１５】
前記フレーム画像処理方法設定ステップ及び前記フレーム保存設定ステップにより設定された情報を保持する設定情報保持ステップを有することを特徴とする請求項１０乃至１４のいずれか１項に記載の動画像処理方法。
【請求項１６】
前記他の画面は、前記選択された方法で取り出された各フレームデータをサムネイルで一覧表示するサムネイル表示ステップを有することを特徴とする請求項１０乃至１５のいずれか１項に記載の動画像処理方法。
【請求項１７】
前記一覧表示されたフレームデータ毎に印刷するか否かを設定するフレーム印刷設定ステップと、
前記一覧表示されたフレームデータのうち、前記フレーム印刷設定ステップにより印刷する設定がされたものに対して、前記設定された画像処理方法で画像処理を行う他のフレーム画像処理ステップと、
前記他のフレーム画像処理ステップにより画像処理されたフレームデータを印刷する印刷ステップとを有することを特徴とする請求項１０乃至１６のいずれか１項に記載の動画像処理方法。
【請求項１８】
前記一覧表示されたフレームデータのうちユーザ選択されたものを前記他の画面から削除するフレーム削除ステップを有することを特徴とする請求項１０乃至１８のいずれか１項に記載の動画像処理方法。
【請求項１９】
ユーザ選択された動画像データからフレームデータを取り出す動画像処理方法をコンピュータにより実行させるプログラムにおいて、複数のフレームデータ取り出し方法をユーザ選択可能に画面に表示する方法表示モジュールと、
前記表示された複数のフレームデータ取り出し方法の１つがユーザ選択されたときに、その選択された方法で取り出されたフレームデータを他の画面に一覧表示する一覧表示モジュールと、
前記一覧表示されたフレームデータ毎に画像処理方法を設定するフレーム画像処理方法設定モジュールと、
前記一覧表示されたフレームデータ毎に静止画像として保存するか否かを設定するフレーム保存設定モジュールと、
前記一覧表示されたフレームデータのうち、前記フレーム保存設定モジュールにより保存する設定がされたものに対して、前記設定された画像処理方法で画像処理を行うフレーム画像処理モジュールと、
前記フレーム画像処理モジュールにより画像処理されたフレームデータを保存する保存モジュールとを有することを特徴とするプログラム。
【手続補正２】
【補正対象書類名】明細書
【補正対象項目名】００１６
【補正方法】変更
【補正の内容】
【００１６】
上記目的を達成するために、請求項１記載の動画像処理装置は、ユーザ選択された動画像データからフレームデータを取り出す動画像処理装置において、複数のフレームデータ取り出し方法をユーザ選択可能に画面に表示する方法表示手段と、
前記表示された複数のフレームデータ取り出し方法の１つがユーザ選択されたときに、その選択された方法で取り出されたフレームデータを他の画面に一覧表示する一覧表示手段と、前記一覧表示されたフレームデータ毎に画像処理方法を設定するフレーム画像処理方法設定手段と、前記一覧表示されたフレームデータ毎に静止画像として保存するか否かを設定するフレーム保存設定手段と、前記一覧表示されたフレームデータのうち、前記フレーム保存設定手段により保存する設定がされたものに対して、前記設定された画像処理方法で画像処理を行うフレーム画像処理手段と、前記フレーム画像処理手段により画像処理されたフレームデータを保存する保存手段とを備えることを特徴とする。
【手続補正３】
【補正対象書類名】明細書
【補正対象項目名】００１７
【補正方法】変更
【補正の内容】
【００１７】
上記目的を達成するために、請求項１０記載の動画像処理方法は、ユーザ選択された動画像データからフレームデータを取り出す動画像処理方法において、複数のフレームデータ取り出し方法をユーザ選択可能に画面に表示する方法表示ステップと、前記表示された複数のフレームデータ取り出し方法の１つがユーザ選択されたときに、その選択された方法で取り出されたフレームデータを他の画面に一覧表示する一覧表示ステップと、前記一覧表示されたフレームデータ毎に画像処理方法を設定するフレーム画像処理方法設定ステップと、前記一覧表示されたフレームデータ毎に静止画像として保存するか否かを設定するフレーム保存設定ステップと、前記一覧表示されたフレームデータのうち、前記フレーム保存設定ステップにより保存する設定がされたものに対して、前記設定された画像処理方法で画像処理を行うフレーム画像処理ステップと、前記フレーム画像処理ステップにより画像処理されたフレームデータを保存する保存ステップとを有することを特徴とする。
【手続補正４】
【補正対象書類名】明細書
【補正対象項目名】００１８
【補正方法】変更
【補正の内容】
【００１８】
上記目的を達成するために、請求項１９記載のプログラムは、ユーザ選択された動画像データからフレームデータを取り出す動画像処理方法をコンピュータにより実行させるプログラムにおいて、複数のフレームデータ取り出し方法をユーザ選択可能に画面に表示する方法表示モジュールと、前記表示された複数のフレームデータ取り出し方法の１つがユーザ選択されたときに、その選択された方法で取り出されたフレームデータを他の画面に一覧表示する一覧表示モジュールと、前記一覧表示されたフレームデータ毎に画像処理方法を設定するフレーム画像処理方法設定モジュールと、前記一覧表示されたフレームデータ毎に静止画像として保存するか否かを設定するフレーム保存設定モジュールと、前記一覧表示されたフレームデータのうち、前記フレーム保存設定モジュールにより保存する設定がされたものに対して、前記設定された画像処理方法で画像処理を行うフレーム画像処理モジュールと、前記フレーム画像処理モジュールにより画像処理されたフレームデータを保存する保存モジュールとを有することを特徴とする。
【手続補正５】
【補正対象書類名】明細書
【補正対象項目名】００１９
【補正方法】変更
【補正の内容】
【００１９】
本処理によれば、ユーザ選択された動画像データからフレームデータを取り出す複数のフレームデータ取り出し方法をユーザ選択可能に画面に表示するので、ユーザの目的に応じたフレームデータ取り出し方法を選択することができ、動画像データから容易にユーザが所望するフレームデータを取り出すことできる。また、一覧表示されたフレームデータ毎に画像処理方法及び保存の設定を行い、保存設定されたフレームデータについて上記設定された画像処理方法による画像処理を施すことにより、元となる動画像データを静止画として保存する前に個別に画像処理ができ、ユーザが所望する静止画の作成・保存を行うことができる。
【手続補正６】
【補正対象書類名】明細書
【補正対象項目名】００２０
【補正方法】削除
【補正の内容】